(57)【要約】【課題】異なるサイズの穴付きボルトの締付け、取り外しを一つのレンチで行えるレンチと穴付きボルトを提供する。【解決手段】先端部に多角形の嵌合部を形成したレンチ１であって、前記嵌合部は異なるサイズの多角形穴付きボルトに嵌合可能な同心の大径嵌合部４ｂと小径嵌合部４ａとから構成し、小径嵌合部４ａが先端側に配置する。頭部に多角形穴を有する穴付きボルトであって、前記多角形穴がレンチ１の大径嵌合部４ｂに嵌合可能であり、この多角形穴の底面に、レンチ１の大径嵌合部４ｂの外形の内接円と同一又はそれより小さく且つ小径嵌合部４ａの外接円より大きい円形穴を有し、前記円形穴は多角形穴と同心で、深さがレンチ１の小径嵌合部４ａの長さと同一又はそれより深く形成されている。【選択図】図１
2007253309.tif 000002
【特許請求の範囲】
【請求項１】
先端部に多角形の嵌合部を形成したレンチであって、前記嵌合部は異なるサイズの多角形穴付きボルトに嵌合可能な同心の大径嵌合部と小径嵌合部とから構成され、前記小径嵌合部が先端側に配置されていることを特徴とする穴付きボルト用レンチ。
【請求項２】
頭部に多角形穴を有する穴付きボルトであって、前記多角形穴が請求項１記載のレンチの大径嵌合部に嵌合可能であり、この多角形穴の底面に、請求項１記載のレンチの大径嵌合部の外形の内接円と同一又はそれより小さく且つ小径嵌合部の外接円より大きい円形穴を有し、前記円形穴は多角形穴と同心で、深さが請求項１記載のレンチの小径嵌合部の長さと同一又はそれより深く形成されていることを特徴とする穴付きボルト。
【請求項３】
請求項１記載のレンチと、請求項２記載の穴付きボルトの組合せ。
【請求項４】
請求項１記載のレンチにおいて、多角形が四角形又は六角形であることを特徴とするレンチ。
【請求項５】
請求項２記載の穴付きボルトにおいて、多角形が四角形又は六角形であることを特徴とする穴付きボルト。
【請求項６】
請求項３記載のレンチと穴付きボルトの組合せにおいて、多角形が四角形又は六角形であることを特徴とするレンチと穴付きボルトの組合せ。
【発明の詳細な説明】
【技術分野】
【０００１】
本発明は、異なるサイズの穴付きボルトの締付け、取り外しを一つのレンチで行える穴付きボルト用レンチと穴付きボルトに関する。
【背景技術】
【０００２】
一つのレンチで、穴付きボルトやビスの締付け、取り外しを行えるようにしたレンチが提案されている（特許文献１参照）。また、多角穴付きねじ頭部の多角穴の下に多角形の内接円を形成する垂直段部と円錐底部を設けたねじと、多角形からなる刃部の先端に多角形の内接円を形成する円筒状突出部を形成し、突出部の先端を円錐状としたレンチで、ねじとレンチの嵌合を迅速に行えるようにした組合せが提案されている（特許文献２参照）。
【特許文献１】特開平１０−２３５５６８号公報
【特許文献２】特開平１１−１７３３１５号公報
【発明の開示】
【発明が解決しようとする課題】
【０００３】
ワークへ六角穴付きボルトなどを締付け、取り外しをする場合、Ｌ形レンチやＴ形レンチが用いられるが、ボルトのサイズに応じて用意した何種類かのレンチを持ち替えたり、レンチの先端のソケットを交換したりして使用するため、手間や時間がかかる。
【０００４】
特開平１０−２３５５６８号では、一つのレンチで、穴付きボルトやビスの締付け、取り外しを行えるようにしたレンチが提案されているが、異なるサイズの多角形穴付きボルトの締付け、取り外しを一つのレンチで行う手段は示されていない。
【０００５】
特開平１１−１７３３１５号では、レンチの先端をボルトの多角穴の下方に形成された円形穴に嵌合するように円筒状突出部としており、多角形状でないため、異なるサイズの多角形穴付きボルトの締付け、取り外しを一つのレンチで行うことはできない。
【０００６】
本発明の目的は、異なるサイズの穴付きボルトの締付け、取り外しを一つのレンチで行えるレンチと穴付きボルトを提供することである。
【課題を解決するための手段】
【０００７】
本発明の穴付きボルト用レンチは、先端部に多角形の嵌合部を形成したレンチであって、前記嵌合部は異なるサイズの多角形穴付きボルトに嵌合可能な同心の大径嵌合部と小径嵌合部とから構成され、前記小径嵌合部が先端側に配置されていることを特徴とする。
【０００８】
本発明の穴付きボルトは、頭部に多角形穴を有する穴付きボルトであって、前記多角形穴が請求項１記載のレンチの大径嵌合部に嵌合可能であり、この多角形穴の底面に、請求項１記載のレンチの大径嵌合部の外形の内接円と同一又はそれより小さく且つ小径嵌合部の外接円より大きい円形穴を有し、前記円形穴は多角形穴と同心で、深さが請求項１記載のレンチの小径嵌合部の長さと同一又はそれより深く形成されていることを特徴とする。
【０００９】
上記レンチや穴付きボルトにおいて、多角形は四角形や六角形などが用いられる。
【発明の効果】
【００１０】
大きいサイズの穴付きボルトは、レンチの大径嵌合部を嵌合させて締付け、取り外しを行い、小さいサイズの穴付きボルトは、レンチの小径嵌合部を嵌合させて締付け、取り外しを行うことにより、異なるサイズの穴付きボルトの締付け、取り外しを一つのレンチで行うことができる。
【発明を実施するための最良の形態】
【００１１】
以下、本発明の一実施形態を図１〜図３に基づいて説明する。
【００１２】
図１に示すレンチ１は、Ｔ形レンチで、把持部となる断面円形の把持棒２と、この把持棒２の中央部から垂直に延び操作軸となる断面円形の操作棒３と、操作棒３の先端部に装着された嵌合部材４とから構成されている。把持棒２と操作棒３は溶接で接合されており、嵌合部材４は操作棒３に着脱自在に装着されている。嵌合部材４は、図２に示されているように、小径嵌合部４ａと、大径嵌合部４ｂと、操作棒３への着脱部４ｃとからなっており、それらが軸方向に並んで同心状に配置されている。大径嵌合部４ｂと小径嵌合部４ａは断面六角形である。着脱部４ｃの外周にはねじが形成されている。したがって、嵌合部材４は、その着脱部４ｃが操作棒３の先端部に形成されているねじ穴に螺着されることによって操作棒３に固着され、操作棒３の先端に大径嵌合部４ｂと小径嵌合部４ａとから構成される嵌合部が形成される。
【００１３】
図３は、レンチ１の大径嵌合部４ｂで締付け、取り外しが行われる穴付きボルトを示している。穴付きボルト５は、頭部に六角形穴６と、六角形穴６の底面に円形穴７を有している。六角形穴６は、レンチ１の大径嵌合部４ｂが嵌合する大きさの六角形穴である。円形穴７は、レンチ１の大径嵌合部４ｂの外形の内接円と同一又はそれより小さく且つ小径嵌合部４ａの外接円より大きい円形穴である。円形穴７は六角形穴６と同心に形成されている。円形穴７は、その深さａがレンチ１の小径嵌合部４ａの長さｂと同一又はそれより深く形成されている。なお、円形穴７はキリ穴であるので、底面は円錐底面になっている。
【００１４】
レンチ１の小径嵌合部４ａで締付け、取り外しが行われる穴付きボルトは、レンチ１の小径嵌合部４ａが嵌合する大きさの六角形穴を頭部に有しているものであればよい。
【００１５】
次に、本発明のレンチ１を使用した穴付きボルトの締付け、取り外し操作を説明する。
【００１６】
図３に示す穴付きボルト５の締付け、取り外しを行うときは、レンチ１先端の大径嵌合部４ｂと小径嵌合部４ａを、穴付きボルト５の頭部に形成されている六角形穴６と円形穴７に挿入すれば、レンチ１の小径嵌合部４ａは円形穴７に挿入配置され、大径嵌合部４ｂは六角形穴６に嵌合するので、レンチ１の把持棒２を操作棒３を中心にねじれば、穴付きボルト５の締付け、取り外しを行うことができる。
【００１７】
また、図３に示す穴付きボルト５より小さいサイズの穴付きボルトの締付け、取り外しを行う場合は、レンチ１先端の小径嵌合部４ａを、穴付きボルトの頭部に形成されている六角形穴に挿入すれば、レンチ１の小径嵌合部４ａは六角形穴に嵌合するので、レンチ１の把持棒２を操作棒３を中心にねじれば、図３に示す穴付きボルト５より小さいサイズの穴付きボルトの締付け、取り外しを行うことができる。
【００１８】
以上説明したように、異なる２つのサイズの穴付きボルトの締付け、取り外しを一つのレンチで行える。
【００１９】
図４は本発明の別の実施形態を示す。上記実施形態では、嵌合部材４をＴ形レンチ１に１つ設けた例を示したが、本実施形態では嵌合部材４をＴ形レンチ１に３つ設けた例である。
【００２０】
すなわち、本実施形態では、図４に示されているように、嵌合部材４をＴ形レンチ１の３つの先端部に設けたものである。嵌合部材４は上記実施形態で説明したのと同じ構造を有し、その取付は上記実施形態で説明したのと同じようにしてＴ形レンチ１の各先端部に取り付けられる。ただし、３つの嵌合部材４は、それぞれ外径サイズが異なっている。したがって、このレンチ１を使用すれば、６種類の穴付きボルトの締付け、取り外しを行うことができる。
【００２１】
なお、上記に限らず、外径サイズの異なる嵌合部材４をＴ形レンチの２つの先端部に設けてもよく、その場合には４種類の穴付きボルトの締付け、取り外しを行うことができる。
【００２２】
上記では、Ｔ形レンチを示したが、勿論これに限ることはなく、例えばＬ形レンチの先端部に上記嵌合部材４を取り付けることもできる。その場合、嵌合部材４をＬ形レンチの１つの先端部に設ければ、２種類の穴付きボルトの締付け、取り外しを行うことができ、外径サイズの異なる嵌合部材４を２つの先端部に設ければ、４種類の穴付きボルトの締付け、取り外しを行うことができる。
【００２３】
また、上記実施形態では嵌合部材４を着脱自在に装着して嵌合部を形成したが、嵌合部はレンチに金属的に一体に構成してもよいことは勿論である。
【図面の簡単な説明】
【００２４】
【図１】本発明のレンチを示し、（ａ）は一部断面正面図、（ｂ）は側面図である。
【図２】嵌合部材を示し、（ａ）は正面図、（ｂ）は底面図である。
【図３】本発明の多角形穴付きボルトを示し、（ａ）は平面図、（ｂ）は一部断面正面図である。
【図４】本発明の別のレンチを示す正面図である。
【符号の説明】
【００２５】
１  レンチ
２  把持棒
３  操作棒
４  嵌合部材
４ａ  小径嵌合部
４ｂ  大径嵌合部
４ｃ  着脱部
５  穴付きボルト
６  六角形穴
７  円形穴
【図１】
2007253309.tif 000003
【図２】
2007253309.tif 000004
【図３】
2007253309.tif 000005
【図４】
2007253309.tif 000006